(57)【要約】【課題】  ホルダ端子とボタン型バッテリーとの良好な電気的接続を保つことのできるボタン型バッテリーのホルダを提供する。【解決手段】  ボタン型バッテリーのホルダＡは、底壁部２１０と、底壁部２１０から立ち上がる側壁部２２０とを有し、これら各壁部により画成された空間がボタン型のバッテリー１０の収納部２３０とされると共に、側壁部２２０の底壁部２１０と反対側がボタン型のバッテリー１０を挿入・離脱する開口部２４０とされたホルダ本体２００と、ホルダ本体２００に設けられて、底壁部２１０側にて収納部２３０内に収納されたボタン型のバッテリー１０の端面１３に当接する端子３００（一方の端子）と、ホルダ本体２００に設けられて、開口部２４０側にて収納部２３０内に収納されたバッテリーの端面１１に当接すると共に、端子３００と協働してボタン型のバッテリー１０を挟持する端子４００（他方の端子）とを備えてなる。【選択図】  図１
0003104139.tif 000002
【実用新案登録請求の範囲】
【請求項１】
両端面及び外周面を有し、前記両端面のうち一方の端面と前記外周面とが一方の電極を構成し、前記両端面のうち他方の端面が他方の電極を構成する短筒状のボタン型のバッテリーを収納するボタン型バッテリーのホルダであって、
底壁部と、該底壁部から立ち上がる側壁部とを有し、これら各壁部により画成された空間が前記バッテリーの収納部とされると共に、前記側壁部の前記底壁部と反対側が前記バッテリーを挿入・離脱する開口部とされたホルダ本体と、
該ホルダ本体に設けられて、前記底壁部側にて前記収納部内に収納されたバッテリーの他方の端面に当接する一方の端子と、
該ホルダ本体に設けられて、前記開口部側にて前記収納部内に収納されたバッテリーの一方の端面に当接すると共に、前記一方の端子と協働して該バッテリーを挟持する他方の端子と
を備えてなることを特徴とするボタン型バッテリーのホルダ。
【請求項２】
前記他方の端子は、前記ホルダ本体の底壁部側に固定された基部と、該基部から立ち上がって前記開口部方向に延び、前記バッテリーの外周面に当接する延出部と、該延出部の先端から折れ曲がって前記バッテリーの一方の端面に当接する当接部とを備え、前記バッテリーが収納された時に、前記延出部が該バッテリーの外周面により弾性変形可能な金属材料により形成されていることを特徴とする請求項１記載のボタン型バッテリーのホルダ。
【請求項３】
前記側壁部は、前記他方の端子と対向する側が、該他方の端子と正面で対向して前記底壁部に固定された固定壁部と、該固定壁部から前記収納部に収納されたバッテリーの前記外周面に沿って一方向及び逆方向に延び、それぞれの基端部が該固定壁部に片持ち支持された弾性ホルダ部とを備えた構成とされ、前記弾性ホルダ部は、前記バッテリーを前記収納部に収納した時に弾性変形し、その弾性復帰力により前記外周面を押圧して該バッテリーを前記他方の端子方向に押圧するよう弾性変形可能な材料により構成されていることを特徴とする請求項２記載のボタン型バッテリーのホルダ。
【請求項４】
前記弾性ホルダ部は、前記片持ち支持される側と反対側の端部に、前記収納部内に収納されたバッテリーの一方の端面に当接して、該バッテリーが前記開口部から抜出するのを防止する係合片部が設けられていることを特徴とする請求項３記載のボタン型バッテリーのホルダ。
【請求項５】
前記ホルダ本体が樹脂とされると共に、前記一方の端子と前記他方の端子が金属材料により形成され、
前記ホルダ本体及び前記一方の端子と前記他方の端子は、インサート成型により一体とされボタン型バッテリーのホルダを構成することを特徴とする請求項１から４いずれか記載のボタン型バッテリーのホルダ。
【考案の詳細な説明】
【技術分野】
【０００１】
本考案は、例えば小型の電化製品等に組み込まれるボタン型のバッテリーのホルダに用いられて好適なボタン型バッテリーのホルダに関する。
【背景技術】
【０００２】
小型の時計等に組み込まれる小型のバッテリーとして、ボタン型バッテリーがよく用いられる。ボタン型バッテリーは、両端面及び外周面を有し、両端面のうち一方の端面と外周面とが一方の電極を構成し、両端面のうち他方の端面が他方の電極を構成する短筒状の形状とされたものである。
【０００３】
従来このようなボタン型バッテリーを収納するホルダとしては、図７に示すように、ボタン型バッテリー１０（バッテリー）を収納するホルダ本体２０に、ボタン型バッテリー１０の収納時にボタン型バッテリー１０の端面１３に当接し電気的に接続する端子３０と、ボタン型バッテリー１０の外周面１２に当接し電気的に接続する端子４０が設けられたものが知られている。
【０００４】
ホルダ本体２０は、樹脂を材料として形成されており、底壁部２１と、底壁部２１から立ち上がる側壁部２２とを有し、これらの璧部で画成された空間がバッテリーの収納部２３とされ、側壁部２２の底壁部２１と反対側がボタン型バッテリー１０を挿入・離脱する開口部２４とされている。また、その外形は、ボタン型バッテリーの収納によって変形しないものとされている。
【０００５】
ホルダ本体２０の側壁部２２の開口部２４とされた側には、ボタン型バッテリー１０の収納時にボタン型バッテリー１０の端面１１に当接してボタン型バッテリーを端子３０方向に付勢すると同時にバッテリーが開口部から抜出するのを防止し、またボタン型バッテリーの挿入・離脱時に端面１１から離されバッテリーの抜出を可能とする弾性変形可能な材料から形成された係合片部５０、５０が設けられている。
係合片部５０、５０は、開口部２４側の側壁部２２の端部２５に固定された基部５１と、この基部５１から底壁部２１と逆方向に断面Ｕ字状に湾曲した形状とされ、かつ、ボタン型バッテリー１０の端面１１の外周近傍に当接する当接部５２とを備えている。
【０００６】
端子３０は、ボタン型バッテリー１０が収納された時に弾性変形し、その弾性復帰力によりボタン型バッテリー１０を係合片部５０、５０の方向に付勢する形状とされており、電気的接続を確実なものとすると同時に係合片部５０、５０と協働してボタン型バッテリー１０を挟持する。
【０００７】
端子４０は、ホルダ本体２０の底壁部２１側に固定された基部４１と、基部４１から立ち上がって開口部２４方向に延び、ボタン型バッテリー１０の外周面１２に当接する延出部４２を有し、ボタン型バッテリー１０が収納された時に弾性変形し、その弾性復帰力によりボタン型バッテリー１０をホルダ本体２０の側壁部２２の収納部側内面に押圧する形状とされており、外周面１２での電気的接続を確実なものとする。
【考案の開示】
【考案が解決しようとする課題】
【０００８】
ところで、上述したような従来のボタン型バッテリーのホルダには、次のような問題が存在する。すなわち、ホルダ本体が変形されない形状とされたため、加工精度によってボタン型バッテリーの外径が変わるとボタン型バッテリーの外周面に当接する端子のみが追従して変形するのであるが、この時端子の弾性変形の範囲を超えるほどバッテリーの外径が大きい時には、端子が塑性変形を起こし、また端子が接触できないほどバッテリーの外径が小さい時には、接触不良を起こすという問題である。
【０００９】
本考案は、上記の事情に鑑みてなされたものであって、端子とボタン型バッテリーとの良好な電気的接続の得られるボタン型バッテリーの外径寸法精度に対して、その許容範囲を大きくすることのできるボタン型バッテリーのホルダを提供することを目的とする。
【課題を解決するための手段】
【００１０】
請求項１に記載の考案は、両端面及び外周面を有し、前記両端面のうち一方の端面と前記外周面とが一方の電極を構成し、前記両端面のうち他方の端面が他方の電極を構成する短筒状のボタン型のバッテリーを収納するボタン型バッテリーのホルダであって、底壁部と、該底壁部から立ち上がる側壁部とを有し、これら各壁部により画成された空間が前記バッテリーの収納部とされると共に、前記側壁部の前記底壁部と反対側が前記バッテリーを挿入・離脱する開口部とされたホルダ本体と、該ホルダ本体に設けられて、前記底壁部側にて前記収納部内に収納されたバッテリーの他方の端面に当接する一方の端子と、該ホルダ本体に設けられて、前記開口部側にて前記収納部内に収納されたバッテリーの一方の端面に当接すると共に、前記一方の端子と協働して該バッテリーを挟持する他方の端子とを備えてなることを特徴とする。
【００１１】
このような構成としたことにより、一方の端子と他方の端子とがボタン型バッテリーの両端面で電気的に接続するので、ボタン型バッテリーの外径に電気的接続が依存しない。
【００１２】
請求項２に記載の考案は、前記他方の端子は、前記ホルダ本体の底壁部側に固定された基部と、該基部から立ち上がって前記開口部方向に延び、前記バッテリーの外周面に当接する延出部と、該延出部の先端から折れ曲がって前記バッテリーの一方の端面に当接する当接部とを備え、前記バッテリーが収納された時に、前記延出部が該バッテリーの外周面により弾性変形可能な金属材料により形成されていることを特徴とする。
【００１３】
このような構成としたことにより、一方の端子と他方の端子の当接部がボタン型バッテリーの両端面で電気的に接続し、かつ、他方の端子の延出部がボタン型バッテリーの外周面でも電気的に接続して、他方の端子のボタン型バッテリーに対する接触抵抗が低減する。
【００１４】
請求項３に記載の考案は、前記側壁部は、前記他方の端子と対向する側が、該他方の端子と正面で対向して前記底壁部に固定された固定壁部と、該固定壁部から前記収納部に収納されたバッテリーの前記外周面に沿って一方向及び逆方向に延び、それぞれの基端部が該固定壁部に片持ち支持された弾性ホルダ部とを備えた構成とされ、前記弾性ホルダ部は、前記バッテリーを前記収納部に収納した時に弾性変形し、その弾性復帰力により前記外周面を押圧して該バッテリーを前記他方の端子方向に押圧するよう弾性変形可能な材料により構成されていることを特徴とする。
【００１５】
このような構成としたことにより、ホルダ本体が弾性ホルダ部によって他方の端子の延出部と同様に弾性変形可能な部位を有し、ボタン型バッテリーの外径の変化に追従できる弾性変形可能な範囲が、弾性ホルダ部の弾性変形可能な範囲と他方の端子の延出部の弾性変形可能な範囲との和になる。また、弾性ホルダ部がバッテリーを収納部に収納した時に弾性変形し、その弾性復帰力によりバッテリーの外周面を押圧してバッテリーを他方の端子方向に付勢し他方の端子の延出部において良好な電気的接続を与える。
【００１６】
請求項４に記載の考案は、前記弾性ホルダ部は、前記片持ち支持される側と反対側の端部に、前記収納部内に収納されたバッテリーの一方の端面に当接して、該バッテリーが前記開口部から抜出するのを防止する係合片部が設けられていることを特徴とする請求項３記載のボタン型バッテリーのホルダ。
ことを特徴とする。
【００１７】
このような構成としたことにより、バッテリーの一方の端面が他方の端子の当接部と係合片部とによって支えられ、収納部内にバッテリーが保持され開口部から抜出しない。
【００１８】
請求項５に記載の考案は、前記ホルダ本体が樹脂とされると共に、前記一方の端子と前記他方の端子が金属材料により形成され、前記ホルダ本体及び前記一方の端子と前記他方の端子は、インサート成型により一体とされボタン型バッテリーのホルダを構成することを特徴とする。
【００１９】
このような構成としたことにより、最初熔けた状態の樹脂に金属端子が埋め込まれるため、固化した樹脂に金属端子を圧入する場合と異なり、ホルダ本体を形成する樹脂の中に歪みが生じない。
【考案の効果】
【００２０】
本考案は、以下に記載されるような効果を奏する。
【００２１】
請求項１に係るボタン型バッテリーのホルダによれば、ボタン型バッテリーの外周面の加工精度が悪くその外径が異なっていても、ボタン型バッテリーの両端面で良好な電気的接続を得ることができる。
【００２２】
請求項２に係るボタン型バッテリーのホルダによれば、ボタン型バッテリーの両端面で良好な電気的接続を得ることができるのみならず、ボタン型バッテリーの外周面においても電気的接続を得ることができる。
【００２３】
請求項３に係るボタン型バッテリーのホルダによれば、外周面の加工精度が悪い異なる外径を持つボタン型バッテリーを端子の塑性変形や外周面での接触不良を起こさせることなく収納部に収めることができる。
【００２４】
請求項４に係るボタン型バッテリーのホルダによれば、ボタン型バッテリーを収納部に安定して保持することができる。
【００２５】
請求項５に係るボタン型バッテリーのホルダによれば、耐熱性にすぐれた性能をボタン型バッテリーのホルダに付与することができる。
【考案を実施するための最良の形態】
【００２６】
以下、本考案の一実施形態によるボタン型バッテリーのホルダを図面１〜６に基づき説明する。
【００２７】
ボタン型バッテリーのホルダＡは、底壁部２１０と、底壁部２１０から立ち上がる側壁部２２０とを有し、これら各壁部により画成された空間がボタン型バッテリー１０（バッテリー）の収納部２３０とされると共に、側壁部２２０の底壁部２１０と反対側が前ボタン型バッテリー１０を挿入・離脱する開口部２４０とされた樹脂からなるホルダ本体２００と、ホルダ本体２００に設けられて、底壁部２１０側にて収納部２３０内に収納されたボタン型バッテリー１０の端面１３に当接する金属からなる端子３００（一方の端子）と、ホルダ本体２００に設けられて、開口部２４０側にて収納部２３０内に収納されたバッテリーの端面１１に当接すると共に、端子３００と協働してボタン型バッテリー１０を挟持する金属からなる端子４００（他方の端子）とを備えている。
これらのホルダ本体２００及び端子３００と端子４００は、インサート成型により一体とされボタン型バッテリーのホルダＡを構成する。
【００２８】
端子３００は、ホルダ本体２００の底壁部２１０側に固定された基部３１０と、基部３１０から開口部２４０の方向に折れ曲がってボタン型バッテリー１０の端面１３に当接する当接部３２０とを備え、ボタン型バッテリー１０が収納された時に、当接部３２０がボタン型バッテリー１０の端面１３により弾性変形可能な金属材料により形成されている。
また、基部３１０は、基部３１０を挟んで対称的に固定部３１１、３１１とを備え、これら固定部３１１、３１１には、側壁部２２０内で開口部２４０の方向に延びる台形状の固定翼３１２、３１２が設けられている。
【００２９】
端子４００は、ホルダ本体２００の底壁部２１０側に固定された基部４１０と、基部４１０から立ち上がって開口部２４０方向に延び、ボタン型バッテリー１０の外周面１２に当接する延出部４２０と、延出部４２０の先端から折れ曲がってボタン型バッテリー１０の端面１１に当接する当接部４３０とを備え、ボタン型バッテリー１０が収納された時に、延出部４２０がボタン型バッテリー１０の外周面１２により弾性変形可能な金属材料により形成されている。
また、基部４１０は、基部４１０を挟んで対称的に固定部４１１、４１１を備え、これらの固定部４１１、４１１には、側壁部２２０内で開口部２４０の方向に延びる台形状の固定翼４１２、４１２が設けられている。
【００３０】
側壁部２２０は、端子４００と対向する側が、端子４００と正面で対向して底壁部２１０に固定された固定壁部２２１と、固定壁部２２１から収納部２３０に収納されたボタン型バッテリー１０の外周面１２に沿って一方向及び逆方向に延び、それぞれの基端部が固定壁部２２１に片持ち支持された弾性ホルダ部２２２、２２２とを備えた構成とされ、弾性ホルダ部２２２、２２２は、ボタン型バッテリー１０を収納部２３０に収納した時に弾性変形し、その弾性復帰力により外周面１２を押圧してボタン型バッテリー１０を端子４００方向に押圧するよう弾性変形可能な樹脂材料により構成されている。
【００３１】
また、これらの弾性ホルダ部２２２、２２２には、片持ち支持される側と反対側の端部に、収納部２３０内に収納されたボタン型バッテリー１０の端面１１に当接して、ボタン型バッテリー１０が開口部２４０から抜出するのを防止する係合片部２２３、２２３が設けられている。
【００３２】
このような構成としたことにより、端子３００の当接部３２０と、端子４００の当接部４３０とがそれぞれボタン型バッテリーの両端面１３及び１１で電気的に接続するので、ボタン型バッテリーの外径に電気的接続が依存しない。
【００３３】
端子４００が、弾性変形可能な延出部４２０を有すると共に、ホルダ本体２００が、弾性ホルダ部２２２を有し、それぞれボタン型バッテリーの外径に合わせて弾性変形して協働してボタン型バッテリー１０を収納部２３０内に保持する。
この時、弾性ホルダ部２２２が弾性変形し、その弾性復帰力によりバッテリーの外周面１２を押圧してボタン型バッテリー１０を端子４００の方向に付勢し延出部４２０において良好な電気的接続を与える。
【００３４】
また、端子４００の当接部４３０と係合片部２２３、２２３がボタン型バッテリーの端面１１を支え、ボタン型バッテリー１０が開口部２４０から抜出するのを防止している。
【００３５】
ボタン型バッテリーのホルダＡは、熔けた状態の樹脂に金属端子が埋め込まれる、いわゆるインサート成型によって形成されているので、固化した樹脂に金属端子を圧入する場合と異なり、ホルダ本体２００を形成している樹脂の中に歪みを含まないものとされている。
【００３６】
図１〜６に示されるボタン型バッテリーのホルダによれば、ボタン型バッテリーの外周面の加工精度が悪くその外径が異なっていても、ボタン型バッテリーの両端面で良好な電気的接続を得ることができる。
【００３７】
また、ホルダ本体２００も弾性ホルダ部２２２により弾性変形可能な構成とされているので、端子４００の延出部４２０が塑性変形を起こしたりすることが少なく、かつ、弾性ホルダ部２２２がボタン型バッテリー１０を延出部４２０に付勢するので、延出部４２０によりボタン型バッテリー１０の外周面１２でも良好な電気的接続を得ることができる。
【００３８】
また、ボタン型バッテリーのホルダＡは、インサート成型により形成されるので、ホルダ本体２００の樹脂の内部に歪みを持たない。従って、リフロー等により回路基板に高温ではんだ付けを行う場合など、金属端子と樹脂本体との間に熱膨張の差を生じて内部に歪みが生じても許容範囲を超えて破砕をきたすことがない。
【産業上の利用可能性】
【００３９】
本考案により、端子とボタン型バッテリーとの良好な電気的接続の得られるボタン型バッテリーの外径寸法精度に対して、その許容範囲を大きくすることのできるボタン型バッテリーのホルダが提供される。
【図面の簡単な説明】
【００４０】
【図１】本考案の一実施の形態を示す図であって、ボタン型バッテリーのホルダの一例をボタン型バッテリーが収納された状態で示す正断面図である。
【図２】本考案の一実施の形態を示す図であって、ボタン型バッテリーのホルダの一例をボタン型バッテリーが収納された状態で示す平面図である。
【図３】本考案の一実施の形態を示す図であって、ボタン型バッテリーのホルダの一例を示す平面図である。
【図４】本考案の一実施の形態を示す図であって、ボタン型バッテリーのホルダの一例を示す正面図である。
【図５】本考案の一実施の形態を示す図であって、ボタン型バッテリーのホルダの一例を示すＩ−Ｉでの断面図である。
【図６】本考案の一実施の形態を示す図であって、ボタン型バッテリーのホルダの一例を示す右側面図である。
【図７】従来のボタン型バッテリーのホルダの一例を模式的に示す断面図である。
【符号の説明】
【００４１】
Ａ・・・ボタン型バッテリーのホルダ
１０・・・ボタン型バッテリー（バッテリー）
２００・・・ホルダ本体
２１０・・・底壁部
２２０・・・側壁部
２２１・・・固定壁部
２２２・・・弾性ホルダ部
２２３・・・係合片部
２３０・・・収納部
２４０・・・開口部
３００・・・端子（一方の端子）
４００・・・端子（他方の端子）
４１０・・・基部
４２０・・・延出部
４３０・・・当接部
【図１】
0003104139.tif 000003
【図２】
0003104139.tif 000004
【図３】
0003104139.tif 000005
【図４】
0003104139.tif 000006
【図５】
0003104139.tif 000007
【図６】
0003104139.tif 000008
【図７】
0003104139.tif 000009